(57)【要約】  差圧流量測定システム(12)は、測定回路(34)に結合された圧力センサ(28)を含む。細長いプローブ(20)は、プロセス流体を運ぶ導管(18)に挿入されるように構成される。圧力センサ(28)は、流体がプローブ(20)を通過するときに生成さ流体中の圧力差を感知する。渦離脱安定化器(80,90)が、細長いプローブ(20)の近隣のプロセス流体中に位置される。渦離脱安定化器(80,90)は、細長いプローブ(20)に近隣する流体の流れにおける渦の離脱を安定化するように構成される。
2016532088.tif 000002
【特許請求の範囲】
【請求項１】
差圧に基づく流量測定システムであって、
プロセス流体の流量に関連する圧力センサ出力を有する差圧センサと、
前記差圧センサに結合され、前記プロセス流体を流通させる導管中に挿入されるように構成された細長いプローブと、
前記差圧センサに結合された少なくとも１つの上流開口を有し、それによって上流圧力を前記差圧センサに適用する前記プローブ中の上流プレナムと、
前記差圧センサに結合された少なくとも１つの下流開口を有し、それによって下流圧力を前記差圧センサに適用する前記導管中の下流プレナムと、
前記細長いプローブに近接してプロセス流体の流れの中に位置され、細長いプローブに近接する渦の離脱を安定化するように構成された渦離脱安定化器と、
を備えた流量測定システム。
【請求項２】
前記渦離脱安定化器が、少なくとも１つの境界層フェンスからなる請求項１に記載の流量測定システム。
【請求項３】
前記境界層フェンスが、プロセス流体の流れの方向と略平行に配置された平表面からなる請求項２に記載の流量測定システム。
【請求項４】
前記細長いプローブの長さに沿って位置された複数の境界層フェンスを含む請求項２に記載の流量測定システム。
【請求項５】
前記上流プレナムが、複数の上流開口を含み、前記複数の境界層フェンスが、前記上流開口の間に位置されている請求項４に記載の流量測定システム。
【請求項６】
前記境界層フェンスが、前記細長いプローブの上流面から前記細長いプローブの下流面に延びていて、前記細長いプローブの縦方向軸に対して垂直に配置されている請求項２に記載の流量測定システム。
【請求項７】
前記渦離脱安定化器が、下流エレメントからなる請求項１に記載の流量測定システム。
【請求項８】
前記下流エレメントが、前記下流プレナムに隣接するように結合されたプレートからなる請求項７に記載の流量測定システム。
【請求項９】
前記下流エレメントが、プロセス流体の流れに対して垂直な方向に延びている請求項７に記載の流量測定システム。
【請求項１０】
前記下流エレメントが、前記細長いプローブに略平行な方向に延びている請求項９に記載の流量測定システム。
【請求項１１】
前記下流プレナムが、前記下流エレメント内に取り付けられている請求項７に記載の流量測定システム。
【請求項１２】
前記細長いプローブと前記下流エレメントの間の開口は、それらの間での流体伝達を許す請求項７に記載の流量測定システム。
【請求項１３】
前記細長いプローブが、平均ピトー管からなる請求項１に記載の流量測定システム。
【請求項１４】
前記細長いプローブは、断面"Ｔ"形を有し、前記渦離脱安定化器は、前記"Ｔ"形のベースを通って延びている開口からなる請求項１に記載の流量測定システム。
【請求項１５】
差圧に基づいてプロセス流体の流量を測定する方法であって、
プロセス流体の流れを運ぶ導管内に、上流面と下流面を有する細長いプローブを配置すること、
前記細長いプローブに関して上流圧力および下流圧力を圧力センサに結合させること、
前記上流圧力および下流圧力に基づいてプロセス流体の流量を測定すること、
前記プロセス流体が前記細長いプローブを通過して動くときに、プロセス流体中に生じる渦の離脱の振動を安定化させること、
からなる方法。
【請求項１６】
前記渦の離脱の振動を安定化させることが、前記細長いプローブに近接して少なくとも１つの境界層フェンスを配置することからなる請求項１５に記載の方法。
【請求項１７】
前記境界層フェンスが、プロセス流体の流れの方向と略平行に配置された平表面からなる請求項１６に記載の方法。
【請求項１８】
前記細長いプローブの長さに沿って位置された複数の境界層フェンスを与えることを含む請求項１６に記載の方法。
【請求項１９】
前記細長いプローブが、複数の上流開口を有する上流プレナムを含み、前記複数の境界層フェンスが、前記上流開口の間に位置されている請求項１８に記載の方法。
【請求項２０】
前記境界層フェンスが、前記細長いプローブの上流面から前記細長いプローブの下流面に延びていて、前記細長いプローブの縦方向軸に対して垂直に配置されている請求項１８に記載の方法。
【請求項２１】
前記渦の離脱の振動を安定化させることが、前記細長いプローブに近接して下流エレメントを配置することからなる請求項１５の方法。
【請求項２２】
前記下流エレメントが、前記下流プレナムに隣接するように結合されたプレートからなる請求項２１に記載の方法。
【請求項２３】
前記下流エレメントが、プロセス流体の流れに対して垂直な方向に延びている請求項２１に記載の方法。
【請求項２４】
前記下流エレメントが、前記細長いプローブに略平行な方向に延びている請求項２１に記載の方法。
【請求項２５】
前記下流エレメントは、前記下流圧力を前記圧力センサに結合するプレナムを含む請求項２１の方法。
【請求項２６】
前記細長いプローブと前記下流エレメントの間の開口は、それらの間での流体伝達を許す請求項２１の方法。
【請求項２７】
前記細長いプローブが、平均ピトー管からなる請求項１５に記載の方法。
【請求項２８】
導管内に挿入されるように構成されて、前記導管内のプロセス流体の流量の測定に使用される平均ピトー管であって、
圧力センサに結合するように構成された少なくとも１つの上流開口を有し、それによって上流圧力を前記圧力センサに適用する上流プレナムと、
前記圧力センサに結合されるように構成された少なくとも１つの下流開口を有し、それによって下流圧力を前記圧力センサに適用する下流プレナムと、
プロセス流体の流れの中に位置されて、渦の離脱を安定化する渦離脱安定化器と、
を備えた平均ピトー管。
【請求項２９】
前記渦離脱安定化器が、少なくとも境界層フェンスからなる請求項２８に記載の平均ピトー管。
【請求項３０】
前記渦離脱安定化器が、下流エレメントからなる請求項２８に記載の平均ピトー管。
【発明の詳細な説明】
【技術分野】
【０００１】
本発明は、工業プロセスにおけるプロセス流体の流量測定に関する。より具体的には、本発明は、差圧を利用する平均ピトー管を使用する流量測定に関する。
【背景技術】
【０００２】
プロセス工業では、化学、ポンプ、石油、薬品、食品、およびその他の処理プラントにおける固体、スラリ、液体、蒸気、および気体などの物質に関係するプロセス変数を監視するために、プロセス変数送信機を使用する。プロセス変数は、圧力、温度、流量、レベル、濁り、密度、濃度、化学成分、およびその他の特性を含む。プロセス流量送信機は、感知されたプロセス液体の流量に関する出力を提供する。その流量送信器の出力は、プロセス制御ループを介して制御室に伝達することができ、あるいは別のプロセス装置に伝達してそのプロセスの動作を監視し、制御することができる。
【０００３】
導管の内部幾何学的形状を変更し、流体中で測定された差圧にアルゴリズムを適用することによって、閉じた導管中の流体の流速を測定することは、知られている。慣例では、ベンチュリ計によって、あるいはオリフィス板、平均ピトー管などの流れ変更デバイスが導管の中に挿入され、導管の断面が変更されることによって導管の幾何学的形状が変えられる。
【発明の概要】
【発明が解決しようとする課題】
【０００４】
平均ピトー管は、一般に、導管内の流体の流れを少し妨げる本体を含む。ピトー管の上流側と下流側の間の差圧が測定され、流速に相関させられる。しかしながら、差圧の変動が流速の決定に不正確さをもたらす可能性がある。
背景技術の項で述べたように、平均ピトー管ベースの流量センサは、典型的には、流れている流体中に差圧を発生させることによって動作する。この差圧を感知するために差圧センサが使用され、感知された圧力は、プロセス流体の流速に相関させられる。ピトー管から得られる上流と下流の圧力が、流管の直径を横切って取得される平均圧力であれば、より正確な流量測定値が得られることが知られている。これは、より正確な流量測定値を与えるが、流体がプローブを通過するときに差圧中に起こる不安定な変動のために、流量測定値にまだ誤差が生じることがある。特に、低周波変動は、流速の変化として誤って検出される。本発明は、渦離脱低周波振動を安定化し、それによって、より正確な流量測定値を提供する。これは、以下に詳細に記述される。
【課題を解決するための手段】
【０００５】
差圧流量測定システムは、測定回路に結合された圧力センサを含む。細長いプローブが、プロセス流体を導く導管内に挿入されるように構成される。流体が前記プローブを通過するときに流体の流れ中に差圧が発生し、圧力センサは、その差圧を感知する。渦離脱安定化器が、前記細長いプローブの近隣で、プロセス流体の流れ中に位置される。前記渦離脱安定化器は、前記細長いプローブの近隣の流体の流れにおける渦の離脱を安定化するように構成される。
【図面の簡単な説明】
【０００６】
【図１】本発明の流量測定システムおよびプロセス配管の切断面を示す図である。
【図２】流量測定システムおよび本発明の実施形態に従う流量送信器の簡略ブロック図である。
【図３Ａ】平均ピトー管およびプロセス流体が管を通過して流れるときの渦の離脱の透視図である。
【図３Ｂ】時間に対する圧力振幅のグラフである。
【図３Ｃ】ある渦の離脱のシナリオでの周波数に対する圧力振幅のグラフである。
【図３Ｄ】時間に対する圧力振幅のグラフである。
【図３Ｅ】他の渦の離脱のシナリオでの周波数に対する圧力振幅のグラフである。
【図３Ｆ】時間に対する圧力振幅のグラフである。
【図４Ａ】図１に示された平均ピトー管の前側平面図であり、境界層フェンスの例を示す。
【図４Ｂ】図１に示された平均ピトー管の後側平面図であり、境界層フェンスの例を示す。
【図４Ｃ】図１に示された平均ピトー管の透視図であり、境界層フェンスの例を示す。
【図５Ａ】平均ピトー管の下流に位置するプレートとして配置された渦離脱安定化器を含む平均ピトー管の上側断面図である。
【図５Ｂ】平均ピトー管の下流に位置するプレートとして配置された渦離脱安定化器を含む平均ピトー管の上側断面図である。
【図５Ｃ】下流プレートを有する他構成の平均ピトー管の上側断面図である。
【図６】渦離脱安定化器の他の形態例の透視図である。
【発明を実施するための形態】
【０００７】
図１は、プロセス制御システム１０の概略図であり、本発明の形態の環境の一例を示している。流量測定システム１２は、プロセス制御ループ１６を通って制御室１４(電圧源と抵抗でモデル化される)に結合される。ループ１６は、適当なプロトコルを利用して、流量送信器１２と制御室１４の間で流量情報を通信する。例えば、プロセス制御ループ１６は、高速アドレス可能遠隔変換器(HART (登録商標))、ファウンデーション(FOUNDATION (登録商標))フィールドバス、あるいは他の適当なプロトコルなどのプロセス工業標準プロトコルに従って動作する。さらに、プロセス制御ループ１６は、例えば、ＩＥＣ６２５９１基準に従う無線HART((登録商標))通信プロトコルを使用して情報を無線通信する無線プロセス制御ループから成ってもよい。Ethernet(登録商標)または光ファイバ接続を含む他の通信手法が用いられてもよい。
【０００８】
図１は、さらに、中に差圧測定プローブ２０が据え付けられた管、あるいは閉じた導管のようなプロセス流体容器の切断面を示している。プローブ２０は、管１８の内側を直径方向に延びる平均ピトー管である。図１の矢印２４は、管１８中の流体の流れ方向を示している。流体マニホールド２６と流量送信機ハウジング１３が、ピトー管２０の外部端にマウントされて示されている。送信機ハウジング１３は、通路３０を通してプローブ２０に流体結合された差圧センサ２８を含む。さらに、図１は、任意の第２のセンサ接続２７を図示しており、この第２のセンサ接続は、プローブ２０に搭載された１つ以上のプロセス変数センサを流量送信機１３内の回路に接続するために使用される。例えば、温度センサに接続するために、これを使用することができる。渦離脱安定化器(図１には示されていない)は、プローブ２０近隣に位置され、以下でより詳細に説明されるように、プローブ２０に近い渦の離脱の変動を安定化する。
【０００９】
図２は、流量送信機１２のシステムブロック図である。流量測定送信器１２は、流量送信機ハウジング１３および差圧測定プローブ２０を含む。流量測定送信器１２は、ループ１６のようなプロセス制御ループに結合可能であり、管１８内のプロセス流体の流量に関連するプロセス変数出力を通信するように適合される。送信機１２は、ループ通信機３２、差圧センサ２８、測定回路３４、および制御器３６を含む。
【００１０】
ループ通信機３２は、ループ１６のようなプロセス制御ループに結合可能であり、プロセス制御ループ上で通信するように適合される。この通信は、どのような適当なプロセス工業標準プロトコルに従うものでもよく、例えば、上述したプロトコルに従うものでよい。
【００１１】
第１および第２のポート３８，４０は、通路３０を通ってプローブ２０の第１および第２のプレナム(plenum)４２，４４にそれぞれ結合される。センサ２８は、適用された圧力の変化に応答して電気的特性が変化する、どのようなデバイスでもよい。例えば、センサ２８は、ポート３８とポート４０の間に適用された差圧に応答して容量が変化する容量型圧力センサでよい。他の測定手法が使用されてもよい。
【００１２】
測定回路３４は、センサ２８に結合され、ポート３８とポート４０の間の差圧に関連するセンサ出力を提供するように構成される。測定回路３４は、どのような電子回路でもよく、それにより差圧に関連する適当な信号を提供することができる。測定回路３４は、例えば、アナログ−デジタル変換器、容量−デジタル変換器、あるいは他のどのような適当な回路でよい。
【００１３】
制御器３６は、測定回路３４およびループ通信機３２に結合される。制御器３６は、測定回路３４によって提供されるセンサ出力に関連するプロセス変数出力をループ通信機３２に提供するように適合される。制御器３６は、マイクロプロセッサ、あるいは他のどのような適当なデバイスでよい。典型的には、制御器３６は、差圧を、プロセス流体の流速に関連する出力に変換する。制御器３６は、例えば、曲線あてはめ手法(curve fitting techniques)などを使用して補償を実行し、差圧と流速の間の関係における非線形性を調整してもよい。追加の係数を使用して流速の測定値を補償してもよく、これには、温度、感知されるプロセス流体、絶対圧などによる変動の補償が含まれる。
【００１４】
ループ通信機３２、測定回路３４および制御器３６は、個別のモジュールとして記載されたが、それらは、１つのＡＳＩＣ(Application Specific Integrated Circuit)上に組み合わせてもよい。同様に、マイクロプロセッサベースのシステムにおける種々のソフトウエア要素により、測定回路３４、制御器３６、およびループ通信機３２の機能を実行することができる。
【００１５】
差圧測定プローブ２０は、通路３０によって送信機ハウジング１３に結合される。このようにして、センサ２８のポート３８は、第１のプレナム４２に結合され、一方、センサ２８のポート４０は、第２のプレナム４４に結合される。"プレナム"とは、通路、管、あるいはそのようなものであり、その中に特定の性質または圧力の流体が導かれ、すなわち収容され、そして、それを通して流体圧が伝えられ、すなわち伝達される。
【００１６】
図示された形態では、第１(上流)のプレナム４２は、少なくとも１つの衝撃開口(impact aperture)４８を含み、プローブ衝撃(すなわち上流)表面４６からの圧力をセンサ２８のポート３８に伝達するように配置される。開口４８は、適当などのような形態でもよい。開口４８は、縦軸成分を含み、幾つかの形態では、その縦軸成分は、十分長く、(スロットのような)開口４８は、プローブ２０の縦軸に実質的に整列する。第２(下流)のプレナム４２は、衝撃表面４６から下流に間隔をおいて位置された非衝撃(すなわち下流)表面５０を含む。非衝撃表面５０は、非衝撃表面からの圧力を、プレナム４４を介してセンサ２８のポート４０に伝達するように配置された少なくとも１つの非衝撃開口５２を含む。測定されている圧力の場所は、記述の上でのものであり、本発明は、この形態に限定されない。
【００１７】
背景技術の項で議論されたように、差圧における変動は、流量測定値に誤差をもたらす可能性がある。平均ピトー管(Averaging Pitot Tube: ＡＰＴ)流量計のようなピトー管ベースの流量計は、その出力中に大きい変動を持つ可能性があることが留意される。ＡＰＴは、その上流側と下流側の間の差圧を生成する。下記の式（１），（２）を使用して、質量流速Ｑmassまたは体積流速Ｑvolumetricを測定することができる。
【００１８】
【数１】
2016532088.tif 000003
【００１９】
【数２】
2016532088.tif 000004
【００２０】
式（１）および（２）において、質量流速は、単位時間当たりの質量(mass)単位量(kg/hr, lbs/secなど)であり、体積流速は、単位時間当たりの実体積(actual volume)単位量(actual cubic ft/hour, actual cubic meters/minuteなど)である。要素Ｎは、定数の変換係数であり、その値は、式（１）および（２）における他の種々の要素の単位によって決定される。式（１）および（２）の変数は、温度の関数である管直径Ｄ、デバイスを通る速度を変化させる流体密度を変化させる原因であって、差圧と静圧の比の関数である気体膨張係数Ｙ１、静圧と温度の関数である流体密度ρ、およびＡＰＴの前面と後面の間で測定される差圧(ＤＰ)である。残りの要素は、流量係数Ｋである。これは、流量計を通る真の流速と、その計器を通る理論上の流速の比を示す実験上の要素である。その流量係数は、定数として簡単化されてもよいし、レイノルズ数(Reynolds number)の関数とされてもよい。
【００２１】
Ｋは、実験上の要素であることが留意される。ＡＰＴの周りの流れ場は、下流側で結果的に生じる高度乱流再循環領域で、プローブ２０の先端エッジから流れの分離が生じる、という事実から、Ｋを実験的に決定する必要がある。再循環領域の圧力場は、差圧(ＤＰ)に変動をもたらす重大で不安定な変動を持つ。ＤＰ(あるいは、これに代えてＫ)における変動に寄与するもう１つの要素は、典型的なＡＰＴの幅が、管の直径より極めて小さいことである。すなわち、典型的なＡＰＴアプリケーションでは、管をまたぐ長くて細長い突っ張りを含むことである。ＡＰＴにいくらか類似する他の流量技術は、渦流発生型流量計である。この型の流量計では、渦離脱体が(ＡＰＴと同様に)管にまたがり、下流側で、同様の高度乱流再循環領域による流れ分離を持つ。この技術との相違は、妨害係数(blockage factor)である。これは、下記の式（３）で定義される。
【００２２】
【数３】
2016532088.tif 000005
【００２３】
式（３）において、ｄは、流入する流れに面するＡＰＴの幅であり、Ｄは、管の直径である。ＡＰＴ計器に対し、与えられたＡＰＴは、広範囲の管サイズに対して使用することができるが、渦式計器に対し、妨害係数は、すべての計器サイズで本来同じである(すなわち、その離脱バーの幅は、各管のサイズに対して変わる)。ＡＰＴに対し、これは、与えられたＡＰＴ幅に対して管サイズが増大すると妨害係数が減少することを意味する。渦流発生型流量計に対し、妨害は、力学的相似性を利用するために一定に保持され、全ての計器が同じ流体力学的特徴を持つことを確実にする。この方策は、渦の離脱が、大体は２次元様式で振る舞うという事実により、渦式計器に対して好結果をもたらすことが証明されている。すなわち、離脱バーが管にまたがるという事実にもかかわらず、そのスパンの影響が最小になる。渦の離脱現象は、離脱バー幅に対するスパン方向長さの比が約４:１と５:１の間にあるように長ければ、スパンに沿ってコヒーレント性を示す。実際、全ての商業的な渦式計器は、この考えで設計される。殆どのＡＰＴの周囲の分離された流れ場は、離脱の渦を指示する。
【００２４】
ＡＰＴでは、差圧は、上流の停滞圧力から(ウェーク領域(wake zone)で測定される)下流圧力を減算することによって得られる。これら両者の圧力は、典型的には、流れを横切る方向での圧力平均を提供する複数の圧力ポートを持つプレナムチャンバ(plenum chambers)内で測定される。差圧信号の大部分は、吸い込み側、つまり下流側から発生する。このため、下流側の圧力場における変動を最小にすることが重要である。
【００２５】
ＡＰＴの後流は、渦の離脱によって強く支配される。妨害がより高い小サイズの管に対しては、渦の離脱は、ＡＰＴのスパンに沿って、より一様である。管サイズが増大して妨害係数が低減すると、スパンに沿った渦の離脱のコヒーレント性は、より低下したものとなる。これは、トルネード形態で生じるものに類似する。形成されるトルネードの曲がりくねった形状は、地面に下降するように渦を巻く。ＡＰＴの場合、流れの分離は、ＡＰＴの表面に沿って固定されて留まらない。むしろ、渦の軸は、そのある部分が他の前に分離するように曲げられる。渦の離脱は、離脱部のスパンに沿ってコヒーレント性でない。図３Ｃに示されるように、周波数ｆm1とｆm2は、別々に認識可能な周波数を持たないかも知れない。圧力信号においてｆm1とｆm2に対応する周波数を識別できるとは限らない。しかしながら、図３Ｃに図示されるように、渦の離脱のピークが普通に広がり、図３Ｅに図示される鋭いピークの形状と対象的である。
【００２６】
ＡＰＴシステムでは、考慮されなければならない４つの圧力影響がある。第１は、上流圧力(沈滞圧力)がＡＰＴのスパンに沿って少し変化することである。これは、管内の流速プロフィルによるものである。十分に発達した乱流では、その圧力は、中央で少しピークとなる。その結果、沈滞圧力は、ＡＰＴの前面に沿って変化する。上流プレナムチャンバではいくらかの第２の流れが起こるかも知れないが、それは、動的影響でないので、測定される沈滞圧力に圧力変動をもたらさない。第２は、流れがプローブの両側の周りを分かれて進むときに、プローブの上流を横方向に振動させる上流圧力があることである。他の２つの圧力影響は、下流圧力測定値に生じる。第１は、渦自身による圧力変動がある。渦の離脱の周波数は、例えば、液体への適用の場合、５Ｈｚから１００Ｈｚ程度に分布し、気体への適用の場合には、１００から１０００Ｈｚ程度に分布する。典型的な差圧力送信器の周波数応答は、典型的には、１０Ｈｚを大きく超える周波数では圧力変動が弱められて検出不可能な点になっている。したがって、下流圧力の変動は、流体流れへの適用の場合、極めて低速度に対して関係するだけである。渦の強さ(すなわち、圧力変動の大きさ)は、圧力の２乗に関係するので、低速での圧力変動は、比較的小さくなる。より関係するのは、ＡＰＴのスパンに沿ってコヒーレントに離脱しない渦によって引き起こされる後流の変動である。これは、ＡＰＴの後面に沿って圧力傾斜を引き起こし、それにより下流プレナムチャンバ内に第２の流れが生じる可能性がある。このような変動および／または第２の流れは、ゆっくり変化し、および／またはランダムな性質であるかも知れない。そのような変動は、差圧信号における低周波振動として表れる。差圧送信機に対する固定のサンプルレートは、流量計の出力を、雑音があり、再現性を小さいものにする。
【００２７】
流れ中の障害物の下流側に形成される渦は、位置と時間の両者によって変化する非常に複雑な形態を有する。図３Ａは、プローブ２０の後縁(非衝撃側)５０に形成されるトレイリング(trailing)渦３３−１，３３−２および３３−３を示す極めて簡単化された図である。渦３３−１，３３−２および３３−３は、プローブ２０の長さに沿う種々の位置に形成される。これらは、プロセス流体を通る個々のスライスとして観察することができ、実際の渦は、図３Ａで下流(右側)に動くように、プローブ２０の長さに沿って連続的に形成される。個々の渦は、急速に形成され、プローブ２０の両側の間で振動する。さらに、渦の位置、形状およびタイミングは、プローブ２０の長さに沿って変化する。図３Ｂは、図３Ａに示された渦３３−１の、時間に対する圧力振幅を示している図である。図３Ｂに示されるように、ｆm1-2として図示された低周波数エンベロープ内に含まれる第１の渦の振動ｆvがある。これらの周波数は、図３Ｃで示された振幅対周波数のグラフの中に示されている。図３Ｃには、第１の渦離脱周波数ｆvの他に、低周波数ｆm1とｆm2が示されている。典型的には、ｆvは、十分に高い周波数であるので、流速を決定するために使用される圧力測定値と干渉しない。しかし、周波数ｆm1とｆm2によって形成される低周波数エンベロープは、差圧を測定するために使用される圧力センサによって感知され、流量の測定値に誤差を引き起こす可能性がある。以下でより詳細に説明するように、下流エレメントが、離脱周波数ｆvを変調する低周波数エンベロープを低減するために使用され、それによって、流速の測定値の誤差を低減する。図３Ｅは、下流エレメントが使用されたときの渦の離脱の効果を示す時間対圧力振幅の図である。同様に、図３Ｅは、周波数対振幅の図である。図３Ｄおよび３Ｅで示されるように、周波数ｆm1とｆm2によって形成される低周波数エンベロープは、除去される。これにより、圧力測定値における誤差が低減される。
【００２８】
個々の渦が示す低周波数振動に加えて、プローブの長さに沿って観察される渦のタイミング変動もある。図３Ｆは、渦３３−１と３３−２の時間対振幅の図である。図３Ｆに示されるように、それらの渦の間にはタイミング オフセットがある。図３Ｆで図示されている時間的推移は、プローブ２０のプレナム内に圧力変動を引き起こし、その結果、流量測定値に誤差が生じる。以下でより詳細に説明するように、境界層フェンスがプローブ２０に近接して位置されて、それらの時間的変動を低減し、それによって流量測定値の精度を高める。図４Ａ，４Ｂおよび４Ｃは、そのような境界層フェンスの一例の実施形態を示している。
【００２９】
図４Ａは、プローブ２０の前縁を示す前平面図であり、図４Ｂは、プローブ２０の後縁を示す後平面図である。図４Ａでは、上流開口４８が、プローブ２０の上流面側のスパンに沿って散在する。同様に、図４Ｂでは、開口５２が、プローブ２０の任意に設けられる下流エレメントの両側で、プローブ２０の下流面側のスパンに沿って散在する。図４Ａおよび４Ｂでは、複数の渦離脱安定化境界層フェンス８０が示されており、以下により詳細に説明されるように動作する。図４Ｃは、プローブ２０の透視図であり、プローブ２０の外側周囲の周りに延びる境界層フェンス８０の一例の形態を示している。
【００３０】
図４Ａ−Ｃに示されている境界層フェンス８０は、プローブ２０のスパンに沿う外部圧力の伝達を途絶させるように働く。これは、流体が、コヒーレントな長さの範囲内の幾何学に限定されるように、それをふるまわせる。これは、渦の離脱を正規のものにする。その壁のサイズおよび開口の配置を適当にすることは、渦の離脱をプローブ２０に沿ってより均一にし、その結果、差圧は、より再現性のあるものとなる。さらに、境界層フェンス８０のサイズおよび開口４８の配置に加えて、プローブ２０の幅を種々に調整して、渦の離脱の正規性を高めることができる。これは、速度が少し低い管壁の近くが最も重要である。管の壁により近くにある境界層フェンス８０は、それらの影響を最小にすることに役立つ。ある観点では、境界層フェンス８０のサイズおよび／または形態は、プローブ２０のスパンに沿って変化する。境界層フェンス８０は、平らなエレメントとして示されているが、どのような適当な形態が使用されてもよい。さらに、境界層フェンス８０の間隔、配置、サイズおよび形状は、要求に従って変えられてもよい。
【００３１】
図５Ａと５Ｂは、渦の離脱のコヒーレント性を改善するための下流エレメントの一例を示し、それによって、図３Ｂと３Ｃで示される低周波成分による差圧測定値の変動を低減する。図５Ａと５Ｂは、プローブ２０の一形態の上断面図であり、上流プレナム４２および下流プレナム４４を示している。台形ＡＰＴが図示されているが、その形は、要求されるように変えられてよい。ＡＰＴの下流には、数個の点でＡＰＴに取り付けられたプレート９０として配置された渦離脱安定化器があるが、流れは、プレート９０とプローブ２０の間を通ることができる。プレート９０によって下流プレナム４４を支持できることが注目される。このような形態では、プレナムからプロセス流体に開口する圧力ポートは、プレート９０がある下流側に位置される。図５に示されたよういな形態では、プレート９０がプレナム４２の下流にあってプレナム４４を形成する。最初に、流れは、プローブ２０に近づき、流れがプローブの前面を横切って横方向に振動するように、上流振動９３が生じる。流れは、最初、ＡＰＴの前縁９２から分離し、渦を形成する。それらが十分に形成される前に、流れは、下流プレート９０の角９４から再び分離する。流れ視覚化実験およびひな形は、そのような形態では、ＡＰＴ２０とプレート９０の間に、極めて整然として(すなわち、一定流速で、渦周波数の標準偏差がより小さい) 、強い交差流を持つ(すなわち、図５Ａと５Ｂで垂直方向の)強い渦が生成されることを示す。図５Ａと５Ｂで示されるように、上流プレナムチャンバ４２および下流プレナムチャンバ４４は、各上流面の動圧およびＡＰＴと、ＡＰＴと下流側のプレートの間の圧力を測定する。渦の形態は、プローブ２０の両側の間で振動する。図５Ａでは、渦は、ページの上側に向かって形成され、プローブ２０とプレート９０の間に、ページの下側から上側方向への流れを引き起こす。これとは反対に、図５Ｂでは、渦は、ページの下側に向かって形成され、プローブ２０とプレート９０の間に、ページの下側に向かう方向に流れを引き起こす。プローブ２０とプレート９０の間のこの流れの振動は、安定であり、したがって、不安定な低周波圧力振動ｆm1とｆm2に起因する、上述の測定値における誤差が低減される。
【００３２】
図６は、平均ピトー管プローブ２０の透視図であり、図５で示された形態の、もう１つ例を示している。図６では、複数の開口９６が下流エレメント５４のスパンに沿って配置されている。図６Ａに示されているように、下流エレメント５４は、プローブ２０のＴ形の延長リブ(elongate rib)を形成する。開口９６は、下流エレメント５４の両側の間に広がり、それらの間での流体伝達を許す。これは、図５Ａと５Ｂに示されたプローブ２０とプレート９０との間の離間と同様に機能する。
【００３３】
ある形態では、図５Ａと５Ｂに示されているような形態により増大される渦による圧力の変動を低減するために、プレナムチャンバ４２，４４と圧力センサ２８の間に制限が置かれてもよい。そのような制限は、ＡＰＴ/ＤＰの時間応答を劣化させず、かつ実流量の変化を検知するＡＰＴの能力を低減させないように選択される。
【００３４】
本発明は、好ましい実施形態を参照して記述されたが、当業者には、本発明の精神および見地から逸脱することなく、形状および詳細を変更してもよいことが認識されるであろう。ここで使用された用語"ピトー管"は、一般的に、流体の流れの中に挿入されるプローブに向けられている。"ピトー管"は、プロセス流体の流れ内から外部の圧力センサに圧力を導くための内部通路を要求するものでない。本発明では、渦離脱安定化器が、細長いプローブに近接してプロセス流体の流れの中に位置される。渦離脱安定化器は、どのような形態でもよく、外部プレート(下流エレメント)９０(図５Ａ−Ｃと図６)に加えて、境界層フェンス８０，８２(図４Ａ−Ｃ)を含む。しかし、本発明における渦離脱安定化器の形態は、どのようなものでもよく、ここで図示されたものに限られない。ある形態では、境界層フェンス８０と外部プレート９０の組み合わせが使用されて、差圧測定値がさらに改善される。ここで図示された平均ピトー管は、"Ｔ"形である。図６では、開口９６は、"Ｔ"形のベースを通って広がっているように図示され、それによりエレメント５４は下流エレメントを与える。差圧センサは、単一の圧力センサで形成されてもよく、複数の圧力センサが使用されてもよい。
【符号の説明】
【００３５】
１０・・・プロセス制御システム、１２・・・流量測定システム(流量送信器)、１３・・・流量送信機ハウジング、１４・・・制御室、１６・・・プロセス制御ループ、１８・・・導管、２０・・・プローブ(差圧測定プローブ，ピトー管)、２４・・・流体流れ方向、２６・・・流体マニホールド、２７・・・センサ接続、２８・・・差圧センサ、３０・・・通路、３２・・・ループ通信機、３３−１〜３３−３・・・渦、３４・・・測定回路、３６・・・制御器、３８，４０・・・ポート、４２，４４・・・プレナム、４６，５０・・・プローブ表面、４８，５２，９６・・・開口、５４・・・下流エレメント、８０・・・渦離脱安定化境界層フェンス、９０・・・プレート、９２・・・ＡＰＴ前縁、９３・・・上流振動、９４・・・プレート角
【図３Ａ】
2016532088.tif 000006
【図４Ａ】
2016532088.tif 000007
【図４Ｂ】
2016532088.tif 000008
【図４Ｃ】
2016532088.tif 000009
【図５Ａ】
2016532088.tif 000010
【図５Ｂ】
2016532088.tif 000011
【図５Ｃ】
2016532088.tif 000012
【図６】
2016532088.tif 000013
【図１】
2016532088.tif 000014
【図２】
2016532088.tif 000015
【図３Ｂ】
2016532088.tif 000016
【図３Ｃ】
2016532088.tif 000017
【図３Ｄ】
2016532088.tif 000018
【図３Ｅ】
2016532088.tif 000019
【図３Ｆ】
2016532088.tif 000020
【国際調査報告】
2016532088.tif 000021
2016532088.tif 000022
2016532088.tif 000023